(57)【要約】【課題】本発明は、動作中に情報を表示する必要がある場合を除き動作時には表示部をＯＦＦすることにより装置の省電力化を図り、表示部に用いた液晶表示素子及び液晶表示用の照明の寿命を延ばすことができる操作装置及び画像形成装置を提供することを目的とする。【解決手段】本発明の操作装置は、画像や文字を表示する液晶表示素子を有する液晶表示部と、液晶表示部を駆動する液晶ドライバと、液晶表示素子に光を照射するための照明と、照明をＯＮ／ＯＦＦ及び光量を調整する照明電源とを含む表示部と、表示部の上に配され、各種機能や指示を選択した位置を検知するタッチパネルを組み合わせた操作パネルとを具備している。そして、本発明の操作装置は、各種制御や指示に伴う動作時に液晶表示及び照明をＯＦＦするように表示部を制御する表示制御部を有している。【選択図】        図２
2004245949.tif 000002
【特許請求の範囲】
【請求項１】
画像や文字を表示する液晶表示素子を有する液晶表示部と、該液晶表示部を駆動する液晶ドライバと、前記液晶表示素子に光を照射するための照明と、該照明をＯＮ／ＯＦＦ及び光量を調整する照明電源とを含む表示部と、該表示部の上に配され、各種機能や指示を選択した位置を検知するタッチパネルを組み合わせた操作パネルとを具備する操作装置において、
各種制御や指示に伴う動作時に液晶表示及び前記照明をＯＦＦするように前記表示部を制御する表示制御部を有することを特徴とする操作装置。
【請求項２】
前記表示制御部は、各種制御や指示に伴う動作が終了した時には液晶表示及び前記照明をＯＮさせる請求項１記載の操作装置。
【請求項３】
前記表示制御部は、各種制御や指示に伴う動作途中に動作の異常が発生した時に当該動作を終了させ、液晶表示及び前記照明をＯＮさせる請求項１記載の操作装置。
【請求項４】
各種制御や指示に伴う動作の状態を表示する他の表示部を前記表示部と別に設ける請求項１記載の操作装置。
【請求項５】
請求項１〜４のいずれかに記載の操作装置を搭載することを特徴とする画像形成装置。
【発明の詳細な説明】
【０００１】
【発明の属する技術分野】
本発明は操作装置及び画像形成装置に関し、詳細には複写機等の画像形成装置における操作装置の省電力化に関する。
【０００２】
【従来の技術】
【特許文献１】特開２００１−２０１９８６号公報
近年、電子機器の省電力化が期待されており複写機も例外ではない。従来の複写機の省電力手段の１つとして、実際のコピー動作を行っていない省電力モード時に操作部上の液晶表示部をＯＦＦにする技術はいくつか提案されている。その一つとしての上記特許文献１によれば、ＦＡＸ受信中、ＦＡＸ印字中、プリンタ印字中、読取中には操作パネルをＯＦＦにすることにより、省電力化を図る画像形成装置が提案されている。
【０００３】
【発明が解決しようとする課題】
しかしながら、複写機の場合、動作設定前に装置の状態表示、選択機能表示、及び機能を選択するためにそれらを表示する必要はあるが、実際の動作中には多くの場合液晶表示部をＯＮさせておく事は必要ではない。
【０００４】
本発明はこの問題点に鑑みなさせたものであり、動作中に情報を表示する必要がある場合を除き動作時には表示部をＯＦＦすることにより装置の省電力化を図り、表示部に用いた液晶表示素子及び液晶表示用の照明の寿命を延ばすことができる操作装置及び画像形成装置を提供することを目的とする。
【０００５】
【課題を解決するための手段】
前記問題点を解決するために、本発明の操作装置は、画像や文字を表示する液晶表示素子を有する液晶表示部と、液晶表示部を駆動する液晶ドライバと、液晶表示素子に光を照射するための照明と、照明をＯＮ／ＯＦＦ及び光量を調整する照明電源とを含む表示部と、表示部の上に配され、各種機能や指示を選択した位置を検知するタッチパネルを組み合わせた操作パネルとを具備している。そして、本発明の操作装置は、各種制御や指示に伴う動作時に液晶表示及び照明をＯＦＦするように表示部を制御する表示制御部を有することに特徴がある。よって、装置の省電力化を図り、表示部に用いた液晶表示素子及び液晶表示用の照明の寿命を延ばすことができる。
【０００６】
また、表示制御部は各種制御や指示に伴う動作が終了した時には液晶表示及び前記照明をＯＮさせることにより、操作者に対して動作終了を確実に知らせることが可能となる。
【０００７】
更に、表示制御部は各種制御や指示に伴う動作途中に動作の異常が発生した時に当該動作を終了させ、液晶表示及び前記照明をＯＮさせることにより、動作中に装置の異常、例えば紙詰まり、紙無し、あるいは故障などにより正常なコピー動作が継続できない場合などを、操作者に対して確実に知らせることが可能となる。
【０００８】
また、各種制御や指示に伴う動作の状態を表示する他の表示部を別に設けることにより、液晶表示部をＯＮさせることなく操作者に知らせることが可能となる。
【０００９】
更に、別の発明としての画像形成装置は、上記操作装置を搭載している。よって、装置全体から鑑みた省電力化を図ることができる。
【００１０】
【発明の実施の形態】
本発明の操作装置は、各種制御や指示に伴う動作時に液晶表示及び照明をＯＦＦするように表示部を制御する表示制御部を有する。
【００１１】
【実施例】
図１は本発明の一実施例に係る操作装置の外観を示す平面図である。なお、本実施例の操作装置を複写機に設けた場合を例として説明する。同図において、本実施例の操作装置１０は、液晶表示部１１と、コピースタートキー１２とを含んで構成されている。図示しないが、コピー機能、例えば拡大／縮小、編集、後処理などの機能については液晶表示部１１内に表示され、これら機能を選択できるように液晶表示部１１にはタッチパネル（図示せず）が設けられている。
【００１２】
図２は本実施例の操作装置の構成を示すブロック図である。同図において、本実施例の操作装置２０は、液晶表示部２１、液晶ドライバ２２、表示制御部２３、液晶表示部２１の照明２４、当該照明２４の電源部であって表示制御部２３によりＯＮ／ＯＦＦ制御可能である照明電源２５、タッチパネル２６及び入力キー２７を含んで構成されている。そして、液晶表示部２１は液晶ドライバ２２により駆動される。液晶表示部２１における表示内容及び描画制御は表示制御部２３により制御される。また、タッチパネル２６による入力も表示制御部２３により押下された位置を判断し、選択された機能を判断する。液晶表示部２１内の機能とは別に設けられたキー、例えばスタートキーの入力監視も表示制御部２３により行われる。同図に示すメイン制御部３０は、コピー動作のためのセンサ入力監視、アクチュエータ動作制御を行うとともに表示制御部２３との間で通信を行う。制御部２３からは、選択機能情報、コピースタート／ストップなどの情報がメイン制御部３０に送信される。メイン制御部３０からは、液晶表示部２１に表示するための情報やコピー完了などの情報が送信される。
【００１３】
図３は本実施例の操作装置の動作を示すフローチャートである。同図において、先ず図１のスタートキー１２が押下されたことを図２の表示制御部２３が認識すると（ステップＳ１０１；ＹＥＳ）、表示制御部２３はコピースタートコマンドをメイン制御部３０に送信を行い、図２の液晶表示部２１及び照明２４をＯＦＦさせる（ステップＳ１０２，Ｓ１０３）。コピースタートコマンドを受信した図２のメイン制御部３０は、コピー動作を開始する（ステップＳ１０４）。そして、コピー終了時には（ステップＳ１０５；ＹＥＳ）、ジョブを設定したことを明確にするためと、次の機能選択及びコピー動作開始のために、液晶表示部２１及び照明２４をＯＮさせる（ステップＳ１０６，Ｓ１０７）。
【００１４】
図４は本実施例の操作装置の別の動作を示すフローチャートである。同図において、先ず図１のスタートキー１２が押下されたことを図２の表示制御部２３が認識すると（ステップＳ２０１；ＹＥＳ）、表示制御部２３はコピースタートコマンドをメイン制御部３０に送信を行い、図２の液晶表示部２１及び照明２４をＯＦＦさせる（ステップＳ２０２，Ｓ２０３）。コピースタートコマンドを受信した図２のメイン制御部３０は、コピー動作を開始する（ステップＳ２０４）。そして、コピー終了時には（ステップＳ２０５；ＹＥＳ）、ジョブを設定したことを明確にするためと、次の機能選択及びコピー動作開始のために、液晶表示部２１及び照明２４をＯＮさせる（ステップＳ２０６，Ｓ２０７）。一方、ステップＳ２０５でコピーを終了するに至らない場合、つまり動作中に装置の異常、例えば紙詰まり、紙無し、あるいは故障などにより正常なコピー動作が継続できない場合には（ステップＳ２０５；ＮＯ、ステップＳ２０８；ＹＥＳ）、コピー動作を停止させて（ステップＳ２０９）液晶表示用の照明２４をＯＮさせて（ステップＳ２１０）液晶表示部２１をＯＮにして異常内容を表示させる（ステップＳ２１１）。
【００１５】
このように、コピー正常動作には前述したように液晶表示部をＯＦＦさせるが、動作中に装置の異常、例えば紙詰まり、紙無し、あるいは故障などにより正常なコピー動作が継続できない場合には、液晶表示部をＯＮさせることにより装置の異常を確実に知らせることができる。
【００１６】
なお、図２のメイン制御部３０は、ジョブ動作中に例えば紙詰まり、紙無し、あるいは故障などにより正常な動作が継続できない場合には動作を停止させるとともに表示制御部２３に異常内容及びジョブ停止情報を送信する。表示制御部２３は異常内容及びジョブ停止情報を受信すると、ジョブ継続不可理由及びジョブ中断表示を含む液晶表示部２１に表示する内容を編集し液晶表示部２１に表示させるとともに照明２４をＯＮさせる。
【００１７】
図５は別の実施例の操作装置の外観を示す平面図である。なお、同図において図１と同じ参照符号は同じ構成要素である。図５に示すように設定したジョブがどれくらい終了したかなどを知らせるために終了ジョブ枚数表示部１３を液晶表示部１１とは別に設けることにより、液晶表示部１１をＯＮさせることなく、設定したジョブがどれくらい終了したかなどを操作者に知らせることが可能となる。
【００１８】
図６は別の発明の画像処理装置を適用するデジタル複写機の構成を示すブロック図である。同図に示すように、デジタル複写機１００は、主に、複写機本体１０１と、原稿自動送り装置（以下、ＡＤＦという）１０２と、自動仕分け装置１０３とを有する。また、複写機本体１０１は、原稿を読み取るスキャナ部１０４と、書込ユニット１０５、エンジン部１０６及び給紙ユニット１０７を有するプリンタ部１０８とを含んで構成されている。更に、ＡＤＦ１０２は、読み取る原稿をスキャナ部１０４に送り、スキャナ部１０４で読み取った原稿を回収する。また、スキャナ部１０４は、光源と複数のミラーとを有するキャリッジ１０９、レンズ１１０及びＣＣＤ１１１を有し、ＡＤＦ１０２で送られた原稿を走査して読み取る。書込ユニット１０５は、レーザ光源やポリゴンミラー等を有し、画像情報を含むレーザビーム１１２をエンジン部１０６に出射する。エンジン部１０６は、画像形成ユニット１１３、１次転写ユニット１１４、２次転写ユニット１１５及び定着ユニット１１６を有する。また、画像形成ユニット１１３は、感光体１１７の周囲に配置された帯電チャージャ１１８、シアン（Ｃ），マゼンタ（Ｍ），イエロー（Ｙ），ブラック（Ｋ）からなるカラー現像部１１９及びドラムクリーニング部１２０を有し、帯電チャージャ１１８で帯電した感光体１１７上に書込みユニット１０５から出射されるレーザビーム１１２で静電潜像を形成し、形成した静電潜像をカラー現像部１１９で可視化してトナー像を形成する。更に、１次転写ユニット１１４は、中間転写ベルト１２１、１次転写部１２２、テンションローラ１２３、２次転写ローラ１２４、クリーニング部１２５及び基準位置センサ１２６を有し、感光体１１７に形成されたトナー像を中間転写ベルト１２１に１次転写して各色のトナー像を重ね合わす。中間転写ベルト１２１は感光体１１７上のトナー像を１次転写するとき以外は接離機構によって感光体１１７の表面から離れ、中間転写ベルト１２１に画像を１次転写するときだけ感光体１１７の表面に圧接される。２次転写ユニット１１５は中間転写ベルト１２１に転写されたトナー像を記録紙に２次転写する。定着ユニット１１６は、上記実施例の定着ヒータ制御装置により制御され、記録紙に転写されたトナー像を熱と圧力で定着する。また、給紙ユニット１０７は複数の給紙カセット１２７ａ〜１２７ｃと手差トレイ１２８を有し、記録紙を２次転写ユニット１１５に送る。更に、自動仕分け装置１０３は複数段の仕分けビン１２９ａ〜１２９ｎを有し、画像が形成された記録紙を仕分けして排出する。
【００１９】
なお、本発明は上記実施例に限定されるものではなく、特許請求の範囲内の記載であれば多種の変形や置換可能であることは言うまでもない。
【００２０】
【発明の効果】
以上説明したように、本発明の操作装置は、画像や文字を表示する液晶表示素子を有する液晶表示部と、液晶表示部を駆動する液晶ドライバと、液晶表示素子に光を照射するための照明と、照明をＯＮ／ＯＦＦ及び光量を調整する照明電源とを含む表示部と、表示部の上に配され、各種機能や指示を選択した位置を検知するタッチパネルを組み合わせた操作パネルとを具備している。そして、本発明の操作装置は、各種制御や指示に伴う動作時に液晶表示及び照明をＯＦＦするように表示部を制御する表示制御部を有することに特徴がある。よって、装置の省電力化を図り、表示部に用いた液晶表示素子及び液晶表示用の照明の寿命を延ばすことができる。
【００２１】
また、表示制御部は各種制御や指示に伴う動作が終了した時には液晶表示及び前記照明をＯＮさせることにより、操作者に対して動作終了を確実に知らせることが可能となる。
【００２２】
更に、表示制御部は各種制御や指示に伴う動作途中に動作の異常が発生した時に当該動作を終了させ、液晶表示及び前記照明をＯＮさせることにより、動作中に装置の異常、例えば紙詰まり、紙無し、あるいは故障などにより正常なコピー動作が継続できない場合などを、操作者に対して確実に知らせることが可能となる。
【００２３】
また、各種制御や指示に伴う動作の状態を表示する他の表示部を別に設けることにより、液晶表示部をＯＮさせることなく操作者に知らせることが可能となる。
【００２４】
更に、別の発明としての画像形成装置は、上記操作装置を搭載している。よって、装置全体から鑑みた省電力化を図ることができる。
【図面の簡単な説明】
【図１】本発明の一実施例に係る操作装置の外観を示す平面図である。
【図２】本実施例の操作装置の構成を示すブロック図である。
【図３】本実施例の操作装置の動作を示すフローチャートである。
【図４】本実施例の操作装置の別の動作を示すフローチャートである。
【図５】別の実施例の操作装置の外観を示す平面図である。
【図６】別の発明の画像処理装置を適用するデジタル複写機の構成を示すブロック図である。
【符号の説明】
１０，２０；操作装置、１１，２１；液晶表示部、１２；コピースタートキー、
１３；終了ジョブ枚数表示部、２２；液晶ドライバ、２３；表示制御部、
２４；照明、２５；照明電源、２６；タッチパネル、２７；入力キー。
【図１】
2004245949.tif 000003
【図２】
2004245949.tif 000004
【図３】
2004245949.tif 000005
【図４】
2004245949.tif 000006
【図５】
2004245949.tif 000007
【図６】
2004245949.tif 000008